(57)【要約】  本発明は、口部シールカバー（２）又は口部接続ピース（３）が滅菌バッグの口部（１）に取り付けられた滅菌バッグクイック接続デバイス（１００）に関し、前記滅菌バッグ口部（１）は、アーク形状溝部（１１）を上部面（１２）上に有し、口部（１）の下部面（１３）は、積層複合膜（１４）でシールされており、前記口部シールカバー（２）は、アーク形状持ち上げ部（ａｒｃ−ｓｈａｐｅｄ  ｈｅａｖｅｓ）（２１）を両側に有し、前記アーク形状持ち上げ部（２１）は、シールするために、バッグ口部の上部面にあるアーク形状溝部（１１）で留められ；  −  前記口部接続ピース（３）は、中空チューブピースであり、接続ピース（３）の下側中間位置に４つの液体排出孔（３８）を、及び接続ピース（３）の底部に傾斜エッジ部（４０）を備え、接続ピースの上側及び中間部分は、回転アーム（３４）を有し、該回転アーム（３４）は、その両端部にスロット（３５）を有し、スロット（３５）の寸法は、バッグ口部（１）のアーク形状溝部（１１）に隣接する部分の外側エッジ部の寸法と一致している。【選択図】図６
2019508340.tif 000002
【特許請求の範囲】
【請求項１】
口部シールカバー（２）又は口部接続ピース（３）が滅菌バッグの口部（１）に取り付けられた滅菌バッグクイック接続デバイス（１００）であって、
−  前記滅菌バッグ口部（１）は、アーク形状溝部（１１）を上部面（１２）上に有し、前記口部（１）の下部面（１３）は、積層複合膜（１４）でシールされており、
−  前記口部シールカバー（２）は、アーク形状持ち上げ部（２１）を両側に有し、前記アーク形状持ち上げ部（２１）は、シールするために、前記バッグ口部の前記上部面にある前記アーク形状溝部（１１）で留められ；
−前記口部接続ピース（３）は、中空チューブピースであり、前記接続ピース（３）の下側中間位置に４つの液体排出孔（３８）を備え、かつ、前記接続ピース（３）の底部に傾斜エッジ部（４０）を備え、前記接続ピースの上側及び中間部分は、回転アーム（３４）を有し、前記回転アーム（３４）は、前記回転アーム（３４）の両端部にスロット（３５）を有し、前記スロット（３５）の寸法は、前記バッグ口部（１）の前記アーク形状溝部（１１）に隣接する部分の外側エッジ部の寸法と一致している、
滅菌バッグクイック接続デバイス（１００）。
【請求項２】
前記滅菌バッグ口部（１）が、スポット溶接によって前記口部シールカバーに固定されている、請求項１に記載の滅菌バッグクイック接続デバイス。
【請求項３】
前記接続ピース（３）の前記上側端部が、シリカゲルチューブとの接続のための接続部である、請求項１に記載の滅菌バッグクイック接続デバイス。
【請求項４】
前記口部接続ピース（３）が、前記接続ピース（３）の中間位置に２つのシールリング（３６）を備える、請求項１に記載の滅菌バッグクイック接続デバイス。
【発明の詳細な説明】
【技術分野】
【０００１】
本発明は、軽工業における食品包装全般に関し、詳細には、請求項１の前提部に記載の液体製品の滅菌包装バッグに関する。
【背景技術】
【０００２】
既存の標準的な滅菌バッグは、完全にシールされたグランド型の口部を有する。
【０００３】
そのような口部は、最も広い用途を有し、一般的な滅菌バッグ充填機に適用可能である。このため、口部は、１回圧入構造（ｏｎｅ−ｔｉｍｅ  ｐｒｅｓｓ−ｉｎ  ｓｔｒｕｃｔｕｒｅ）を有し、充填後に締りばめによって滅菌バッグのシート部に圧入され、圧入後に引き抜くことはできない。したがって、バッグ中の物質を取り出す必要がある場合、切断によってバッグを開封するなどの破壊的プロセスを用いなければならない。
【０００４】
そのような口部では、液体の排出が支持されず、バッグインボックス（ある種の小容積滅菌バッグ）フィールド作製機（ｆｉｅｌｄ  ｐｒｅｐａｒａｔｉｏｎ  ｍａｃｈｉｎｅ）などの自動液体排出装置と接続することができず、定量化された自動液体排出を実現することができない。そのような欠点により、バッグインボックスのフィールド作製機への適用が大きく制限される。
【発明の概要】
【発明が解決しようとする課題】
【０００５】
解決すべき技術的課題は、既存技術の欠点を克服し、一般的な滅菌バッグ充填機における使用、及び液体排出のためのフィールド作製機との接続の両方が可能である種類の滅菌バッグクイック接続デバイスを提供することである。
【課題を解決するための手段】
【０００６】
上述した課題は、請求項１に記載の滅菌バッグクイック接続デバイスによって解決される。
【０００７】
滅菌バッグ口部は、スポット溶接によって口部シールカバーに固定される。
【０００８】
滅菌バッグ口部の外形寸法は、既存の標準的滅菌バッグの場合と一致しており、液体排出のための孔が、口部の中央に配置されている。
【０００９】
滅菌バッグ口部は、アーク形状溝部を上部面上に有し、口部の下部面は、積層複合膜でシールされている。
【００１０】
口部シールカバーのアーク形状持ち上げ部（ａｒｃ−ｓｈａｐｅｄ  ｈｅａｖｅｓ）は、バッグ口部の上部面上にあるアーク形状溝部と同じ形状を有し、シールするために用いられる。
【００１１】
持ち上げ部の下部面にある内側リングの外側寸法は、口部にある孔の内側寸法と一致している。
【００１２】
持ち上げ部の下部面にある外側リングの寸法は、口部にある溝部の寸法と一致している。
【００１３】
これら２つのパーツが合致することで、バッグ口部とシールカバーとをしっかり留めることができる。一方、シールカバーは、スポット溶接によってバッグ口部に固定される。
【００１４】
滅菌バッグが充填機上で充填された後、充填機は、シールカバーで蓋をされたバッグ口部を滅菌バッグのシート部に圧入して、閉鎖接続（ｃｌｏｓｅ  ｃｏｎｎｅｃｔｉｏｎ）を形成することができる。一方、バッグ口部の底部は、バッグ中の液体を外気から遮断することができる積層複合膜でシールされていることから、充填後にバッグ内部の滅菌状態を確保することができる。
【００１５】
本発明の滅菌バッグ口部の外形寸法が、既存の標準的滅菌バッグの場合と完全に一致していることから、本実用新案に記載される口部を有する滅菌バッグは、既存の標準的な滅菌バッグ充填機において問題なく使用することができる。
【００１６】
口部接続ピースは、液体の排出時に、滅菌バッグ口部をフィールド作製機の液体チューブと接続するために用いられ、それによって、滅菌バッグ中の液体を、バッグを損傷することなく、フィールド作製機を通して自動的に取り出すことができる。
【００１７】
接続ピースの下側部分は、バッグ口部との接続用であり、接続ピースの底部にある傾斜エッジ部（又は先端部）は、バッグ口部の底部にある積層複合膜に穴をあけるために用いられる。
【００１８】
接続ピースの下側位置には、バッグ口部との接続後に液体排出のために用いられる円形状に均等に分布された４つの排出孔がある。
【００１９】
接続ピースの中間セクションには、バッグ口部の完全なシールを確保することができる２つのシールリングがある。
【００２０】
接続ピースの上側及び中間部分は、回転アームを有し、回転アームの端部にはスロットがあり、スロットの寸法は、バッグ口部のアーク形状溝部に隣接する部分の外側エッジ部の寸法と一致している。
【００２１】
接続ピースが正しくバッグ口部と接続されると、接続ピースは、回転アームによって特定の角度分回転することができ、一方スロットとバッグ口部の外側エッジ部との接触により、バッグ口部に接続ピースを固定することを実現することができる。
【００２２】
接続ピースの上側部分は、フィールド作製機の液体チューブとの接続のために用いられ、挿入後の液体チューブの堅さを、接続ピースのラチェットによって確保することができる。
【００２３】
本発明は、滅菌バッグに包装された液体製品の便利で衛生的な排出及び使用を確保し、並びに滅菌バッグと排出装置との迅速で清浄な接続を実現するように設計されている。
【発明の効果】
【００２４】
既存の技術と比較して、本発明の有益な効果は以下の通りである：
【００２５】
１．本発明のバッグ口部は、使い捨てであることから、製品充填の衛生を確保することができる。
【００２６】
２．本発明は、フィールド作製機と接続された滅菌バッグの自動液体排出を実現するのに役立つものであり、それは、既存の技術を用いては達成することができない。本発明により、滅菌バッグの適用分野を拡大することができる。
【００２７】
３．自動液体排出を実現することができることにより、ユーザーは、内部の液体を用いるために滅菌バッグを切断する必要がなく、そのため、使用方法は、より便利及び衛生的である。
【００２８】
４．既存の技術的条件下では、場合によっては、バッグを損傷することなく液体を排出するために、第二の排出口部を配置することが必要である。本発明の場合、充填及び排出の機能が１つにまとめられており、追加の排出口部は不要であり、このことは、コストの削減につながる。
【００２９】
５．本発明のバッグ口部の寸法は、既存の技術の場合の寸法と一致しており、そのような口部を有するバッグは、既存のバッグ口部と互換性のあるすべての充填機に用いることができる。
【００３０】
６．ユーザーは、口部接続ピースを、１回限りの使用とするか、又は繰り返し使用とするかを選択することができ、このことは、コスト削減という点でユーザーにより多くの選択肢を提供する。
【００３１】
本発明は、乳製品、飲料、及び液体食品の包装に使用可能であり、また流動性製品が関与する他の分野でも使用可能である。
【図面の簡単な説明】
【００３２】
【図１】図１は、本発明に従う滅菌バッグ口部の構造概略図である。
【図２】図２は、本実用新案における口部シールカバーの構造概略図である。
【図３】図３は、本発明に従う口部接続ピースの構造概略図である。
【図４】図４は、滅菌バッグ口部及び口部シールカバーの組み立て図である。
【図５】図５は、挿入時における滅菌バッグ口部及び口部接続ピースの組み立て図である。
【図６】図６は、使用時における滅菌バッグ口部及び口部接続ピースの組み立て図である。
【発明を実施するための形態】
【００３３】
本発明について、図面及び実施形態と共に以下でさらに記載する。
【００３４】
本明細書で述べる実施形態が、単に本発明を説明するためのものであり、本発明を限定するものではないことは理解されるべきである。
【００３５】
滅菌バッグクイック接続デバイス（１００）（図６）は、それぞれ滅菌バッグ口部１、口部シールカバー２、及び口部接続ピース３の３つのパーツから成る。
【００３６】
図１に示されるように、滅菌バッグ口部１は、アーク形状溝部１１を上部面１２上に有し、口部１の下部面１３は、積層複合膜１４でシールされている。
【００３７】
図２に示されるように、口部シールカバー２は、アーク形状持ち上げ部２１を両側２２に有し、アーク形状持ち上げ部２１は、シールするために、バッグ口部１の上部面１２にあるアーク形状溝部１１で留められる。
【００３８】
図３に示されるように、口部接続ピース３は、中空チューブピースであり、接続ピースの上側端部３１は、シリカゲルチューブと接続するための接続部３２であり、接続ピースの上側３１及び中間部分３３は、回転アーム３４を有する。
【００３９】
回転アーム３４の両端部にはスロット３５があり、スロットの寸法は、バッグ口部１のアーク形状溝部１１に隣接する部分の外側エッジ部の寸法と一致している。
【００４０】
接続ピース３の中間位置３７には、２つのシールリング３６がある。
【００４１】
接続ピース３の下側中間位置３９には、４つの液体排出孔３８がある。
【００４２】
接続ピース３の底部には、傾斜エッジ部（又は先端部）４０がある。
【００４３】
口部シールカバー２は、取り外し可能構造を有し、滅菌バッグ口部１とスポット溶接によって接続される。
【００４４】
バッグ口部１とシールカバー２との組み立てを図４に示す。
【００４５】
滅菌バッグ口部１及び口部接続ピース３は、一体として用いられて、滅菌バッグとフィールド作製機との迅速で信頼性の高い接続が実現される。
【００４６】
別々である滅菌バッグ口部又は口部接続ピースでは、そのような機能を提供することができない。
【００４７】
滅菌バッグ口部１と口部接続ピース３との組み立てを図５及び図６に示す。
【００４８】
使用時は、まず、口部シールカバー２をバッグ口部１から取り外し、次に、口部接続ピース３の下側部分をバッグ口部の中央の孔に、接続ピース３の回転アーム３４とバッグ口部１の上部面が完全に接触するまで挿入する（図５に示されるように）。
【００４９】
挿入する際に、接続ピース３の底部の傾斜エッジ部（又は先端部）４０は、バッグ口部１の底部の積層複合膜に穴をあけて、バッグの内部空間と外部空間との間の相互接続を実現することができる。
【００５０】
接続ピースの挿入位置が正しくなるように注意を払い、挿入後、回転アーム３４が、バッグ口部の上部面にあるアーク形状溝部１１に確実に完全に入ることができるようにする（図５に示されるように）。
【００５１】
接続ピース３を完全に正しく挿入した後、回転アーム３４によって接続ピース３を９０度回転させる。この時点で、回転アーム３４の両側にあるスロット３５は、バッグ口部１の上部の突出した外側エッジ部としっかり接触して、接続ピースとバッグ口部１との信頼性の高い機械的接続を形成する（図６に示されるように）。
【００５２】
一方、接続ピースの底部の突出したシールリング３８は、接続ピース３とバッグ口部１の孔との間の信頼性の高いシールを実現して、バッグ口部１と接続ピース３との間の隙間からのバッグ中の液体の漏出を防止することができる。
【００５３】
接続ピース３の上側コネクタ３１は、上述した接続を行う前に、フィールド作製機の液体排出チューブと接続されるべきであること、及び操作中は、滅菌バッグを上下逆さまにしておくべきであること（バッグ口部の上部面が下向きに維持される）には留意されたい。
【００５４】
したがって、バッグ口部１を接続ピース３と接続した後、滅菌バッグ中の液体は、接続ピースの下側位置に異なる方向に配置された４つの排出孔３８を通して、フィールド作製機の排出チューブへと流入することができる。この時点で、ユーザーは、フィールド作製機を起動して、自動液体排出を行ってよい。
【００５５】
この滅菌バッグクイック接続デバイス１００は、フィールド作製機と接続された滅菌バッグの自動液体排出実現に役立つものであり、それは、既存の技術を用いて達成することはできない。
【００５６】
この滅菌バッグクイック接続デバイス１００により、滅菌バッグの適用分野を拡大することができる。
【００５７】
上記の記述は、実施形態にのみ関連する。
【００５８】
本技術分野における一般的技術者が、本発明の概念の範囲内において、ある程度の小さい改善及び変更を行ってもよいことは指摘されるべきであり、そのような改善及び変更も、本発明によって保護されるものと見なされるべきである。
【図１】
2019508340.tif 000003
【図２】
2019508340.tif 000004
【図３】
2019508340.tif 000005
【図４】
2019508340.tif 000006
【図５】
2019508340.tif 000007
【図６】
2019508340.tif 000008
【国際調査報告】
2019508340.tif 000009
2019508340.tif 000010
2019508340.tif 000011